(57)【要約】【課題】マイクロスイッチの正確な動作点の調整を簡単な作業で行うことができる乗客コンベアの安全装置を提供する【解決手段】乗客コンベアを構成する踏段の側面に対向して設けられたスカートガードパネルの裏側において、フレーム側に固定配置されたマイクロスイッチと、このマイクロスイッチの筐体から突出して設けられ、スカートガードパネルが接触又は離反することを検出して前記筐体内に設けられたスイッチ接点をオン・オフさせる検出子と、この検出子にスカートガードパネルが接触すると、スカートガードパネルの撓みを検出して乗客コンベアの運転を停止させるように構成した乗客コンベアの安全装置において、前記検出子の外部への突出長さを調整するためのロータリスイッチをマイクロスイッチの筐体面に設け、検出子とスカートガードパネルとの間隙を微調整可能に構成したことを特徴とする。【選択図】図１
2015048231.tif 000002
【特許請求の範囲】
【請求項１】
乗客コンベアを構成する踏段の側面に対向して設けられたスカートガードパネルの裏側において、フレーム側に固定配置されたマイクロスイッチと、このマイクロスイッチの筐体から突出して設けられ、スカートガードパネルが接触又は離反することを検出して前記筐体内に設けられたスイッチ接点をオン・オフさせる検出子とを備え、この検出子にスカートガードパネルが接触すると、乗客コンベアの運転を停止させるように構成した乗客コンベアの安全装置において、
前記検出子の外部への突出長さを調整するためのロータリスイッチをマイクロスイッチの筐体面に設け、検出子とスカートガードパネルとの間隙を微調整可能に構成したことを特徴とする乗客コンベアの安全装置。
【請求項２】
前記マイクロスイッチの取付金具と、この取付金具とフレーム側の取付ブラケットとの取付間隔を調整するシムを設け、
前記検出子とスカートガードパネルとの間隔が大きい場合には、シムの厚みを調整し、前記検出子とスカートガードパネルとの間隔の微調整には前記ロータリスイッチを使用することを特徴とする請求項１に記載の乗客コンベアの安全装置。
【請求項３】
乗客コンベアを構成する踏段の側面に対向して設けられたスカートガードパネルの裏側において、フレーム側に固定配置されたマイクロスイッチと、このマイクロスイッチの筐体から突出して設けられ、スカートガードパネルが接触又は離反することを検出して前記筐体内に設けられたスイッチ接点をオン・オフさせる検出子とを備え、この検出子にスカートガードパネルが接触すると、乗客コンベアの運転を停止させるように構成した安全装置を備えた乗客コンベアにおけるスカートガードパネルの取付け点検方法において、
スカートガードパネルの取付誤差が大きい場合には、内デッキボードを取外した後、スカートガードパネルを取外して、前記シムの厚みを増して、誤差を調整する工程と、
スカートガードパネルを取付ける工程と、
スカートガードパネルを取付けた後、マイクロスイッチの検出子とスカートガードパネルの裏面との間隔が設定範囲内か否かを確認する工程と、
前記取付誤差が設定範囲内であれば、内デッキボードを取付けて作業を終了する工程と、
前記取付誤差が設定範囲内でなければ、マイクロスイッチのロータリスイッチを回転させて設定範囲内に収まるように検出子の突出長さを微調整する工程と、
前記取付誤差が設定範囲内に収まると、内デッキボードを取付けて作業を終了する工程と、を備え、
スカートガードパネルの取付誤差が小さい場合には、内デッキボードを取外した後、マイクロスイッチの検出子とスカートガードパネルの裏面との間隔が設定範囲内か否かを確認する工程と、
前記取付誤差が設定範囲内であれば、内デッキボードを取付ける工程と、
前記取付誤差が設定範囲内でなければ、マイクロスイッチのロータリスイッチを回転させて設定範囲内に収まるように検出子の突出長さを微調整する工程と、
設定範囲内に収まると、内デッキボードを取付けて作業を終了する工程と、
を備えることを特徴とするスカートガードパネルの取付け点検方法。
【請求項４】
マイクロスイッチ本体と、
このマイクロスイッチ本体から突出して設けられ、物体が接触又は離反することを検出して前記筐体内に設けられたスイッチ接点をオン・オフさせる検出子と、
マイクロスイッチ本体に設けられ、前記検出子の外部への突出長さを調整するためのロータリスイッチと、
を備えたことを特徴とするマイクロスイッチ装置。
【発明の詳細な説明】
【技術分野】
【０００１】
本発明の実施形態は、乗客コンベアの安全装置、スカートガードパネルの取付け点検方法及びマイクロスイッチ装置に関する。
【背景技術】
【０００２】
乗客コンベアでは、循環移動する踏段の左右両側にスカートガードパネルが設置され、このスカートガードパネルの上部に手摺ベルトを装着した欄干パネルが立設されている。また、スカートガードパネルと踏段との間に荷物や乗客の足先などの異物が挟まれた場合にはこれを検知して踏段の移動を緊急停止させるために、スカート安全装置が設けられている。
【０００３】
スカート安全装置は、通常、スカートガードパネルの裏面側（踏段の側面と対向する側とは逆側）にマイクロスイッチを設置して、異物の挟み込みによってスカートガードパネルが踏段から離間する方向に撓んだときにこのマイクロスイッチが押圧操作されることで、異物の挟み込みを検知する構成となっている（例えば、特許文献１等を参照）。
【０００４】
このような安全装置は、危険な状態を敏感に検出して乗客の安全を確保する性格上、マイクロスイッチの動作点調整すなわち、スカートガードパネルとマイクロスイッチの検出子との間隔調整は極めて重要であり、しかも高精度が要求されている。そのために、上記間隔の調整は、マイクロスイッチの取付け部を緩めて変位させたり、調整機構をスカートガードパネル側に取付けたりしている。
【先行技術文献】
【特許文献】
【０００５】
【特許文献１】特開平７−３１５７４７号公報
【発明の概要】
【発明が解決しようとする課題】
【０００６】
しかしながら、上述したように、スカートガードパネルとマイクロスイッチの検出子との間隔調整は、マイクロスイッチの取付け部を緩めて変位させたり、調整機構をスカートガードパネル側に取付けたりしているため、その作業には、スカートガードパネルを取外して行わねばならず、また調整後スカートガードパネルを挿着した際に前記間隔が変動することがあり、正確な調整ができないという課題がある。
【０００７】
本発明の目的は、マイクロスイッチの正確な動作点の調整を簡単な作業で行うことができる乗客コンベアの安全装置、スカートガードパネルの取付け点検方法及びマイクロスイッチ装置を提供することにある。
【課題を解決するための手段】
【０００８】
上記の目的を達成するために本発明の実施形態は、乗客コンベアを構成する踏段の側面に対向して設けられたスカートガードパネルの裏側において、フレーム側に固定配置されたマイクロスイッチと、このマイクロスイッチの筐体から突出して設けられ、スカートガードパネルが接触又は離反することを検出して前記筐体内に設けられたスイッチ接点をオン・オフさせる検出子とを備え、この検出子にスカートガードパネルが接触すると、乗客コンベアの運転を停止させるように構成した乗客コンベアの安全装置において、前記検出子の外部への突出長さを調整するためのロータリスイッチをマイクロスイッチの筐体面に設け、検出子とスカートガードパネルとの間隙を微調整可能に構成したことを特徴としている。
【０００９】
また、本発明の他の実施形態は、乗客コンベアを構成する踏段の側面に対向して設けられたスカートガードパネルの裏側において、フレーム側に固定配置されたマイクロスイッチと、このマイクロスイッチの筐体から突出して設けられ、スカートガードパネルが接触又は離反することを検出して前記筐体内に設けられたスイッチ接点をオン・オフさせる検出子とを備え、この検出子にスカートガードパネルが接触すると、乗客コンベアの運転を停止させるように構成した安全装置を備えた乗客コンベアにおけるスカートガードパネルの取付け点検方法において、スカートガードパネルの取付誤差が大きい場合には、内デッキボードを取外した後、スカートガードパネルを取外して、前記シムの厚みを増して、誤差を調整する工程と、スカートガードパネルを取付ける工程と、スカートガードパネルを取付けた後、マイクロスイッチの検出子とスカートガードパネルの裏面との間隔が設定範囲内か否かを確認する工程と、前記取付誤差が設定範囲内であれば、内デッキボードを取付けて作業を終了する工程と、前記取付誤差が設定範囲内でなければ、マイクロスイッチのロータリスイッチを回転させて設定範囲内に収まるように検出子の突出長さを微調整する工程と、前記取付誤差が設定範囲内に収まると、内デッキボードを取付けて作業を終了する工程と、を備え、スカートガードパネルの取付誤差が小さい場合には、内デッキボードを取外した後、マイクロスイッチの検出子とスカートガードパネルの裏面との間隔が設定範囲内か否かを確認する工程と、前記取付誤差が設定範囲内であれば、内デッキボードを取付ける工程と、前記取付誤差が設定範囲内でなければ、マイクロスイッチのロータリスイッチを回転させて設定範囲内に収まるように検出子の突出長さを微調整する工程と、設定範囲内に収まると、内デッキボードを取付けて作業を終了する工程と、を備えることを特徴としている。
【００１０】
また、本発明の更に他の実施形態は、マイクロスイッチ装置において、マイクロスイッチ本体と、このマイクロスイッチ本体から突出して設けられ、物体が接触又は離反することを検出して前記筐体内に設けられたスイッチ接点をオン・オフさせる検出子と、マイクロスイッチ本体に設けられ、前記検出子の外部への突出長さを調整するためのロータリスイッチと、を備えたことを特徴としている。
【図面の簡単な説明】
【００１１】
【図１】本発明の実施形態が適用されたエスカレータのスカートガードパネルの裏面側を示す断面図。
【図２】本発明の実施形態が適用されたエスカレータのスカートガードパネルの裏面側を示す平面図。
【図３】本発明の実施形態が適用されたマイクロスイッチ装置の斜視図。
【図４】本発明の実施形態が適用されたマイクロスイッチ装置の正面図。
【図５】本発明の実施形態が適用されたスカートガードパネルの取付け点検方法における処理手順を示すフローチャート。
【発明を実施するための形態】
【００１２】
以下、本発明の具体的な実施形態について、図面を参照しながら詳細に説明する。図１は本発明の実施形態が適用されたエスカレータのスカートガードパネルの裏面側を示す断面図、図２は本発明の実施形態が適用されたエスカレータのスカートガードパネルの裏面側を示す平面図、図３は本発明の実施形態が適用されたマイクロスイッチ装置の斜視図、図４は本発明の実施形態が適用されたマイクロスイッチ装置の正面図、図５は本発明の実施形態が適用されたスカートガードパネルの取付け点検方法における処理手順を示すフローチャートである。なお、以下では、本発明を適用した乗客コンベアの例として、多数の踏段が連続して階段状に上下に移動することで乗客を上下階に亘って搬送するエスカレータを例示するが、本発明は、多数の踏段が連続して水平に移動することで乗客を搬送する動く歩道（オートロード）に対しても有効に適用可能である。
【００１３】
図１に示すように、本実施形態のエスカレータ１は、上階と下階とに跨って支持金具を介して建造物に固定支持された主枠３を備える。主枠３の幅方向両側には、多数の踏段５が設けられており、各踏段５にはデマケーションクリート７が設けられている。踏段５の移動経路に沿って欄干パネル９が立設され、この欄干パネル９の周囲に、多数の踏段５と同期して循環移動する手摺ベルト（図示せず）が装着されている。欄干パネル９下部の踏段５と対向する位置には、多数の踏段５の移動方向に沿ってスカートガードパネル１１が設置されている。なお、スカートガードパネル１１は複数の単位パネルを配列して構成されているが、ここでは、スカートガードパネル１１とのみ記述する。
【００１４】
欄干パネル９とスカートガードパネル１１との間は内デッキボード１３で覆われており、また、欄干パネル９の外側には外デッキボード１５が設けられている。
【００１５】
図１、図２に示すように、スカートガードパネル１１の裏面側（踏段５の側面と対向する側とは逆側）には、踏段５の移動方向におけるスカートガードパネル１１の変位を検出するための安全装置２０が配設されている。
【００１６】
安全装置２０は、マイクロスイッチ装置で構成されている。このマイクロスイッチ装置は、図３、図４に示すように、マイクロスイッチ２１と、このマイクロスイッチ２１本体（筐体）から突出して設けられ、スカートガードパネル１１が接触又は離反することを検出して本体内のスイッチ接点をオン・オフさせる検出子２３と、マイクロスイッチ２１の本体側面に設けられ、ダイヤルツマミ２７の回転量を調整することにより検出子２３の外部への突出長さを調整するためのロータリスイッチ２５とを備えている。そして、マイクロスイッチ２１は、検出子２３をスカートガードパネル１１の裏面に対向させた状態で取付金具３１上に取付けられており、この取付金具３１は、エスカレータ１のフレーム側の取付ブラケット３３に取付ネジ３５を介して取付けられている。また、取付金具３１と取付ブラケット３３との間にはシム（スペーサ）３７が介在され、このシム３７の厚みを調整することによって検出子２３とスカートガードパネル１１との間隙が調整されるようになっている。
【００１７】
次に本発明の実施形態の作用について図５のフローチャートを参照して説明する。図5のフローチャートは、保守作業員が安全装置２０の取付状態を保守するための作業を説明するものであり、マイクロスイッチ２１の検出子２３とスカートガードパネル１１の裏面との間の間隔（誤差）が大きい場合、と誤差が小さい場合とで作業の工程が異なっている。
【００１８】
大きい誤差の場合、内デッキボード１３を取外し、次にスカートガードパネル１１を取外す（ステップＳ１，Ｓ３）。次に、安全装置２０の取付ネジ３５を外してシム３７を追加して厚みを増して、誤差を調整した後、スカートガードパネル１１を取付ける（ステップＳ５，Ｓ７）。スカートガードパネル１１を取付けた後、マイクロスイッチ２１の検出子２３とスカートガードパネル１１の裏面との間の間隔が設定範囲内か否かを確認する。設定範囲内であれば（ステップＳ９YES）、内デッキボードを取付けて作業を終了する（ステップＳ１７）。設定範囲内でなければ、さらに、マイクロスイッチ２１のロータリスイッチ２５のダイヤルツマミ２７を回転させて検出子２３の突出長さを微調整する（ステップＳ１３）。微調整を繰り返して設定範囲内に収まると（ステップＳ１５YES）、内デッキボードを取付けて作業を終了する（ステップＳ１７）。
【００１９】
一方、小さな誤差の場合には、内デッキボード１３を取外した後、スカートガードパネル１１を取り外すことなく、マイクロスイッチ２１の検出子２３とスカートガードパネル１１の裏面との間の間隔を微調整するために、マイクロスイッチ２１のロータリスイッチ２５のダイヤルツマミ２７を回転させて検出子２３の突出長さを微調整する（ステップＳ１３）。微調整を繰り返して設定範囲内に収まると（ステップＳ１５YES）、内デッキボードを取付けて作業を終了する（ステップＳ１７）。
【００２０】
このように、本発明の実施形態によれば、スカートガードパネルの取付調整を容易かつ簡単に行うことができ、時間に制限のある現場での保守点検の作業性が向上する。
【００２１】
なお、本発明の実施形態に係るマイクロスイッチ装置は、エスカレータの安全装置２０に適用した例を示したが、これに限られず、物体の接触を検出するマイクロスイッチ装置として広く適用可能である。
【００２２】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２３】
１：エスカレータ（乗客コンベア）
３：主枠
５：踏段
７：デマケーションクリート
９：欄干パネル
１１：スカートガードパネル
１３：内デッキボード
１５：外デッキボード
２０：安全装置
２１：マイクロスイッチ（マイクロスイッチ装置）
２３：検出子（マイクロスイッチ装置）
２５：ロータリスイッチ（マイクロスイッチ装置）
２７：ダイヤルツマミ（マイクロスイッチ装置）
３１：取付金具
３３：取付ブラケット
３５：取付ネジ
３７：シム
【図１】
2015048231.tif 000003
【図２】
2015048231.tif 000004
【図３】
2015048231.tif 000005
【図４】
2015048231.tif 000006
【図５】
2015048231.tif 000007
【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
乗客コンベアを構成する踏段の側面に対向して設けられたスカートガードパネルの裏側において、フレーム側に固定配置されたマイクロスイッチと、このマイクロスイッチの筐体から突出して設けられ、スカートガードパネルが接触又は離反することを検出して前記筐体内に設けられたスイッチ接点をオン・オフさせる検出子とを備え、この検出子にスカートガードパネルが接触すると、乗客コンベアの運転を停止させるように構成した乗客コンベアの安全装置であって、
前記検出子の外部への突出長さを調整するためのロータリスイッチをマイクロスイッチの筐体面に設けるとともに、前記マイクロスイッチの取付金具と、この取付金具とフレーム側の取付ブラケットとの取付間隔を調整するシムを設け、
前記検出子とスカートガードパネルとの間隔が大きい場合には、シムの厚みを調整し、前記検出子とスカートガードパネルとの間隔の微調整には前記ロータリスイッチを使用することによって、検出子とスカートガードパネルとの間隙を微調整可能に構成したことを特徴とする乗客コンベアの安全装置。
【請求項２】
乗客コンベアを構成する踏段の側面に対向して設けられたスカートガードパネルの裏側において、フレーム側に固定配置されたマイクロスイッチと、このマイクロスイッチの筐体から突出して設けられ、スカートガードパネルが接触又は離反することを検出して前記筐体内に設けられたスイッチ接点をオン・オフさせる検出子とを備え、この検出子にスカートガードパネルが接触すると、乗客コンベアの運転を停止させるように構成した安全装置を備えた乗客コンベアにおけるスカートガードパネルの取付け点検方法であって、
スカートガードパネルの取付誤差が大きい場合には、内デッキボードを取外した後、スカートガードパネルを取外して、マイクロスイッチの取付金具とフレーム側の取付ブラケットとの取付間隔を調整するシムの厚みを増して、誤差を調整する工程と、
スカートガードパネルを取付ける工程と、
スカートガードパネルを取付けた後、マイクロスイッチの検出子とスカートガードパネルの裏面との間隔が設定範囲内か否かを確認する工程と、
前記取付誤差が設定範囲内であれば、内デッキボードを取付けて作業を終了する工程と、
前記取付誤差が設定範囲内でなければ、マイクロスイッチのロータリスイッチを回転させて設定範囲内に収まるように検出子の突出長さを微調整する工程と、
前記取付誤差が設定範囲内に収まると、内デッキボードを取付けて作業を終了する工程と、を備え、
スカートガードパネルの取付誤差が小さい場合には、内デッキボードを取外した後、マイクロスイッチの検出子とスカートガードパネルの裏面との間隔が設定範囲内か否かを確認する工程と、
前記取付誤差が設定範囲内であれば、内デッキボードを取付ける工程と、
前記取付誤差が設定範囲内でなければ、マイクロスイッチのロータリスイッチを回転させて設定範囲内に収まるように検出子の突出長さを微調整する工程と、
設定範囲内に収まると、内デッキボードを取付けて作業を終了する工程と、
を備えることを特徴とするスカートガードパネルの取付け点検方法。